(57)【要約】【課題】  本発明はネジの抜止め構造に係り、保護カバーやユニットなどの取付部材をネジを用いて電源端子盤や機器本体などの被取付部材に着脱する際に、ネジの確実な脱落防止を図ったネジの抜止め構造を提供することを目的とする。【解決手段】  被取付部材に取付部材を固定するネジの抜止め構造であって、前記取付部材のネジ挿入穴の周囲に形成された係合部と、前記係合部に係脱可能な係合手段が形成された環状の抜止めクリップとからなり、前記ネジ挿入穴に挿入されたネジの頭部側から前記係合部に係合手段を係合し、ネジの軸部に取り付くワッシャを抜止めクリップで抜止め保持することを特徴とする。【選択図】    図１
2013104501.tif 000002
【特許請求の範囲】
【請求項１】
被取付部材に取付部材を固定するネジの抜止め構造であって、
前記取付部材のネジ挿入穴の周囲に形成された係合部と、
前記係合部に係脱可能な係合手段が形成された環状の抜止めクリップとからなり、
前記ネジ挿入穴に挿入されたネジの頭部側から前記係合部に係合手段を係合し、ネジの軸部に取り付くワッシャを抜止めクリップで抜止め保持することを特徴とするネジの抜止め構造。
【請求項２】
被取付部材に取付部材を固定するネジの抜止め構造であって、
前記取付部材のネジ挿入穴の周囲に形成された係合部と、
前記係合部に係脱可能な係合手段が形成された環状の抜止めクリップとからなり、
前記ネジ挿入穴に挿入されたネジの頭部側から前記係合部に係合手段を係合し、ネジの頭部を抜止めクリップで抜止め保持することを特徴とするネジの抜止め構造。
【請求項３】
前記係合部は、取付部材に形成された係合穴で、
前記係合手段は、前記係合穴に係合する係合爪が形成された弾性係合片であることを特徴とする請求項１または請求項２に記載のネジの抜止め構造。
【請求項４】
被取付部材に取付部材を固定するネジの抜止め構造であって、
前記取付部材に係脱可能な係合手段が形成された環状の抜止めクリップを、当該取付部材のネジ挿入穴に挿入されたネジの頭部側から取付部材に係合し、ネジの軸部に取り付くワッシャを、当該抜止めクリップで抜止め保持することを特徴とするネジの抜止め構造。
【請求項５】
被取付部材に取付部材を固定するネジの抜止め構造であって、
前記取付部材に係脱可能な係合手段が形成された環状の抜止めクリップを、当該取付部材のネジ挿入穴に挿入されたネジの頭部側から取付部材に係合し、ネジの頭部を抜止めクリップで抜止め保持することを特徴とするネジの抜止め構造。
【請求項６】
前記係合手段は、前記取付部材の周縁部に係合する係合爪が形成された弾性係合片であることを特徴とする請求項４または請求項５に記載のネジの抜止め構造。
【発明の詳細な説明】
【技術分野】
【０００１】
本発明はネジの抜止め構造に係り、例えば通信機器の電源端子盤や操作盤などの被取付部材に保護カバーなどの取付部材を固定するネジの抜止め構造に関する。
【背景技術】
【０００２】
一般に通信機器の電源端子盤や操作盤には、人が不用意に高圧部に触ったり、重要なスイッチを誤操作しないよう、着脱式の保護カバーを被せてネジ止めしている。
【０００３】
また、例えば通信機器の機器本体に、冷却用のファンユニットや粉塵侵入防止用のフィルタユニットなどの各種ユニットがネジを用いて取り付けられているが、保護カバーやユニットの着脱時にネジがこれらから脱落して紛失してしまう虞があった。
【０００４】
また、ネジの落下によって短絡事故などを誘発する虞もあるため、従来、ネジの脱落防止を図る様々なネジの抜止め構造が提案されている。
【０００５】
図１０は特許文献１に開示されたネジの抜止め構造を示し、この従来例は、ユニット１に形成されたネジ挿入穴３にネジ５を通して、その挿入先端側のネジ部７に抜止めワッシャ９を嵌め込んでユニット１からのネジ５の抜け止めを図っている。
【０００６】
また、図示しないが保護カバーを電源端子盤などにネジ止めする際にも、同様に、保護カバーに設けたネジ挿入穴にネジを通して、その挿入先端側のネジ部に抜止めワッシャを嵌め込んで保護カバーからのネジの脱落防止を図っている。
【先行技術文献】
【特許文献】
【０００７】
【特許文献１】特開２００１−５０２３６号公報
【発明の概要】
【発明が解決しようとする課題】
【０００８】
しかし乍ら、図１０の従来構造にあっては、機器本体からユニット１を取り外すためにネジ５を緩めていくと、ネジ５の回転に伴い抜止めワッシャ９がネジ部７の先端へ移動して、ネジ部７との嵌め合いが少なくなる。このため、ユニット１を機器本体から取り外すと、抜止めワッシャ９がネジ部７から外れてネジ５がユニット１から脱落する虞があった。
【０００９】
本発明は斯かる実情に鑑み案出されたもので、保護カバーやユニットなどの取付部材をネジを用いて電源端子盤や機器本体などの被取付部材に着脱する際に、ネジの確実な脱落防止を図ったネジの抜止め構造を提供することを目的とする。
【課題を解決するための手段】
【００１０】
斯かる目的を達成するため、請求項１に係る発明は、被取付部材に取付部材を固定するネジの抜止め構造であって、前記取付部材のネジ挿入穴の周囲に形成された係合部と、前記係合部に係脱可能な係合手段が形成された環状の抜止めクリップとからなり、前記ネジ挿入穴に挿入されたネジの頭部側から前記係合部に係合手段を係合し、ネジの軸部に取り付くワッシャを抜止めクリップで抜止め保持することを特徴とする。
【００１１】
また、請求項２に係る発明は、被取付部材に取付部材を固定するネジの抜止め構造であって、前記取付部材のネジ挿入穴の周囲に形成された係合部と、前記係合部に係脱可能な係合手段が形成された環状の抜止めクリップとからなり、前記ネジ挿入穴に挿入されたネジの頭部側から前記係合部に係合手段を係合し、ネジの頭部を抜止めクリップで抜止め保持することを特徴とする。
【００１２】
そして、請求項３に係る発明は、請求項１または請求項２に記載のネジの抜止め構造に於て、前記係合部は、取付部材に形成された係合穴で、前記係合手段は、前記係合穴に係合する係合爪が形成された弾性係合片であることを特徴とする。
【００１３】
一方、請求項４に係る発明は、被取付部材に取付部材を固定するネジの抜止め構造であって、前記取付部材に係脱可能な係合手段が形成された環状の抜止めクリップを、当該取付部材のネジ挿入穴に挿入されたネジの頭部側から取付部材に係合し、ネジの軸部に取り付くワッシャを、当該抜止めクリップで抜止め保持することを特徴とする。
【００１４】
また、請求項５に係る発明は、被取付部材に取付部材を固定するネジの抜止め構造であって、前記取付部材に係脱可能な係合手段が形成された環状の抜止めクリップを、当該取付部材のネジ挿入穴に挿入されたネジの頭部側から取付部材に係合し、ネジの頭部を抜止めクリップで抜止め保持することを特徴とする。
【００１５】
そして、請求項６に係る発明は、請求項４または請求項５に記載のネジの抜止め構造に於て、前記係合手段は、前記取付部材の周縁部に係合する係合爪が形成された弾性係合片であることを特徴とする。
【発明の効果】
【００１６】
各請求項に係る発明は、抜止めクリップを用いて取付部材とネジを機械的な抜止め構造としたので、確実なネジの抜け止めが可能となり、而も、保護カバーを受ける側の形状、摩擦力などに影響されることがない。
【００１７】
また、請求項１、請求項４に係る発明によれば、ネジ自体に付随したワッシャーを押さえることで、寸法的に遊びを持たせて確実に抜止めクリップを取付部材に固定することができると共に、標準ネジを活用することができる。
【００１８】
そして、請求項３、請求項６に係る発明によれば、抜止めクリップの取り付けがワンタッチで行え、取り扱いが簡単である。
【００１９】
更に、請求項４乃至請求項６に係る発明によれば、取付部材に係合部を設ける必要がない利点を有する。
【図面の簡単な説明】
【００２０】
【図１】請求項１及び請求項３の第一実施形態に係るネジの抜止め構造の分解斜視図である。
【図２】抜止めクリップの要部側面図である。
【図３】ネジの抜止め構造の全体斜視図である。
【図４】ネジの抜止め構造の断面図である。
【図５】請求項２及び請求項３の一実施形態に係るネジの抜止め構造の断面図である。
【図６】請求項１及び請求項３の第二実施形態に係るネジの抜止め構造の分解斜視図である。
【図７】請求項１及び請求項３の第三実施形態に係るネジの抜止め構造の断面図である。
【図８】請求項４及び請求項６の一実施形態に係るネジの抜止め構造の断面図である。
【図９】請求項４及び請求項６の一実施形態に係るネジの抜止め構造の分解斜視図である。
【図１０】従来のネジの抜止め構造の全体斜視図である。
【発明を実施するための形態】
【００２１】
以下、本発明の実施形態を図面に基づいて詳細に説明する。
【００２２】
図１乃至図４は請求項１及び請求項３の一実施形態に係るネジの抜止め構造を示し、図中、１１は通信機器の電源端子盤などの固定台（被取付部材）１３に取り付く着脱式の保護カバー（取付部材）で、固定台１３の表面側にはスペーサを兼ねた筒状のボス部１５が形成され、その中心にネジ取付穴１７が形成されている。そして、従来と同様、保護カバー１１に設けたネジ挿入穴１９にネジ２１を挿入して、これを前記ネジ取付穴１７にねじ込むことで、保護カバー１１が固定台１３に固定されるようになっている。
【００２３】
尚、図１に示すようにネジ２１の軸部２３には、従来周知のスプリングワッシャー２５と平ワッシャー２７が頭部２９側から順に取り付けられており、ネジ２１は標準ネジである「なべネジ」である。
【００２４】
そして、図１及び図４に示すようにネジ挿入穴１９を挟んで保護カバー１１に、２つの平面視円形状の係合穴（係合部）３１が１８０度の間隔を空けて設けられており、両係合穴３１はネジ挿入穴１９の中心から等距離にあり、また、ネジ挿入穴１９よりも小径とされている。
【００２５】
また、図１に於て、３３は環状に形成された樹脂製の抜止めクリップで、図４に示すように抜止めクリップ３３は断面逆Ｌ字状に形成され、その上面に形成されたネジ挿入穴３５はネジ２１の頭部２９よりも大径とされ、前記平ワッシャー２７よりも小径とされている。
【００２６】
そして、抜止めクリップ３３の外周に平面視Ｕ字状の突片３７がネジ挿入穴３５を挟んで１８０度の間隔を空けて突設され、各突片３７の裏面側に、前記係合穴３１に係合可能な係合手段３９が下方へ突設されている。
【００２７】
図２に示すように係合手段３９は、外方へ突出する断面くさび形状の係合爪４１が先端に形成された一対の対向する断面略半円形状の弾性係合片４３、４５で形成されている。そして、保護カバー１１のネジ挿入穴１９にネジ２１の軸部２３を挿入させた後、ネジ２１の頭部２９側から係合爪４１のテーパ面４７を係合穴３１の周縁に当てて係合手段３９を係合穴３１内に圧入すると、両弾性係合片４３、４５が内方へ変形し、次いで係合爪４１が係合穴３１から下方へ突出し、図４に示すように係合爪４１が保護カバー１１の裏面側の係合穴３１の周縁部に係合して、抜止めクリップ３３が保護カバー１１に取り付くようになっている。
【００２８】
而して、既述したように抜止めクリップ３３のネジ挿入穴３５はネジ２１の頭部２９よりも大径とされ、平ワッシャー２７の外径よりも小径とされているため、上述の如く抜止めクリップ３３を保護カバー１１に取り付けると、図３及び図４に示すように抜止めクリップ３３のネジ挿入穴３５から頭部２９が突出し、そして、平ワッシャー２７との間に僅かな間隙を空けて抜止めクリップ３３が平ワッシャー２７を上方から覆って、ネジ２１の抜け止めを図るようになっている。
【００２９】
本実施形態はこのように構成されているから、固定台１３に保護カバー１１をねじ止めするに当たり、先ず、保護カバー１１のネジ挿入穴１９にネジ２１の軸部２３を挿入させる。そして、ネジ２１の頭部２９側から係合爪４１のテーパ面４７を係合穴３１の周縁に当てて係合手段３９を係合穴３１内に圧入すれば、図４に示すように係合爪４１が保護カバー１１の裏面側の係合穴３１の周縁部に係合して、抜止めクリップ３３が保護カバー１１に取り付く。これにより、図３及び図４に示すように抜止めクリップ３３のネジ挿入穴３５から頭部２９が突出し、平ワッシャー２７との間に僅かな間隙を空けて抜止めクリップ３３が平ワッシャー２７を上方から覆って、保護カバー１１からのネジ２１の抜け止めを図ることとなる。
【００３０】
而して、この後、図３に示すようにネジ２１の軸部２３を固定台１３側のネジ取付穴１７にねじ込むことで、保護カバー１１が固定台１３に取り付くこととなる。
【００３１】
また、例えばメンテナンスなどで保護カバー１１を固定台１３から取り外す際にネジ２１を緩めても、保護カバー１１に取り付く抜止めクリップ３３が平ワッシャー２７を上方から覆って、保護カバー１１からのネジ２１の抜け止めを図ることとなる。
【００３２】
尚、抜止めクリップ３３は保護カバー１１から容易に取り外し可能であるから、ネジ２１による保護カバー１１の取り付け後に抜止めクリップ３３を取り外してもよい。この場合、保護カバー１１の取り外しの際に、改めて抜止めクリップ３３を保護カバー１１に取り付ければよい。
【００３３】
このように本実施形態は、抜止めクリップ３３を用いて保護カバー１１とネジ２１を機械的な抜止め構造としたので、確実なネジ２１の抜け止めが可能となり、また、抜止めクリップ３３の取り付けもワンタッチで行え、取り扱いが簡単である。
【００３４】
而も、保護カバー１１を受ける側の形状、摩擦力などに影響されることがなく、また、ネジ２１自体に付随した平ワッシャー２７を押さえることで、寸法的に遊びを持たせて確実に抜止めクリップ３３を保護カバー１１に固定することができる。そして、本実施形態によれば、標準ネジである「なべネジ」を活用することができる。
【００３５】
尚、前記実施形態では、保護カバー１１の取付けに標準ネジである「なべネジ」を使用したが、本実施形態の抜止めクリップ３３は、「ＴＰネジ」など標準ネジより頭部の径が大きいネジを使用したネジ止め構造にも適用することが可能である。
【００３６】
図５は請求項２及び請求項３の一実施形態に係るネジの抜止め構造を示し、図示するようにＴＰネジ４９は、前記ネジ２１に比し頭部５１が台形で上面が丸くなっており、また、ネジ２１に比し頭部の径が大きく、頭部５１の下側周縁に縁５３を付けた形状が特徴である。
【００３７】
そこで、本実施形態のネジの抜止め構造は、保護カバー１１に取り付く抜止めクリップ３３がＴＰネジ４９の縁５３（頭部５１）を上方から覆って、保護カバー１１からのＴＰネジ４９の抜け止めを図ったものである。
【００３８】
而して、この実施形態によっても、前記実施形態と同様、所期の目的を達成することが可能で、ＴＰネジ４９の確実な抜け止めが可能となる。
【００３９】
図６は請求項１及び請求項３の第二実施形態に係るネジの抜止め構造を示し、本実施形態は、図１の一対の弾性係合片４３、４５からなる係合手段３９に代え、ネジ挿入穴３５を挟んで１８０度の間隔を空けて抜止めクリップ５５に設ける係合手段５７を、内方へ突出する係合爪５９が先端に形成された一本の断面四角形状の弾性係合片６１とすると共に、保護カバー１１側に設ける係合穴６３を平面視四角形状の角穴としたことを特徴としている。また、弾性係合片６１を断面四角形状に形成したことで、ネジ挿入穴３５を挟んで抜止めクリップ５５の外周に突設された突片６５は平面視四角形状とされている。
【００４０】
而して、この実施形態によっても、図１の実施形態と同様、所期の目的を達成することが可能で、確実なネジ２１の抜け止めが可能となり、抜止めクリップ５５の取り付けもワンタッチで行え、取り扱いが簡単である。
【００４１】
また、本実施形態によれば、係合穴６３を角穴としたことで、平面視円形形状に形成された図１の係合穴３１に比し穴抜きが容易である利点を有する。
【００４２】
図７は請求項１及び請求項３の第三実施形態に係るネジの抜止め構造を示し、本実施形態は、図６の弾性係合片６１に代え、抜止めクリップ６７の左右に設けた断面四角形状の弾性係合片６９の先端側を内方へ「く字状」に屈曲する係合爪７１として、当該係合爪７１の外周を内方へ傾斜する傾斜面７３としたものである。
【００４３】
また、保護カバー１１に設けた係合穴７５のネジ挿入穴１９側内周を内方へ傾斜する傾斜面７７として、その角部７９を係合爪７１の内周に当接させている。
【００４４】
而して、本実施形態によっても、図１の実施形態と同様、所期の目的を達成することが可能で、確実なネジ２１の抜け止めが可能となり、抜止めクリップ６７の取り付けもワンタッチで行え、取り扱いが簡単である。
【００４５】
更に本実施形態は、弾性係合片６９の先端側を内方へ「く字状」に屈曲する係合爪７１として、当該係合爪７１の外周を内方へ傾斜する傾斜面７３とすると共に、係合穴７５のネジ挿入穴１９側内周を内方へ傾斜する傾斜面７７として、その角部７９を係合爪７１の内周に当接させた構造上、抜止めクリップ６７の取付方向（弾性係合片６９の挿入方向）に干渉部材（図示せず）があっても、抜止めクリップ６７の挿入に伴い、干渉部材が傾斜面７３に当接し、そして、係合爪７１が角部７７に当接し乍ら内方へ順次変形していくため、干渉部材があっても抜止めクリップ６７の取り付けが可能となり、また、左右の係合爪７１によって強固に保護カバー１１を左右方向から挟持できる利点を有する。
【００４６】
図８及び図９は図６の抜止めクリップ５５を用いた請求項４及び請求項６の一実施形態に係るネジの抜止め構造を示している。
【００４７】
図示するように、例えば左右の弾性係合片６１間の幅Ｌ１が平面視矩形状の保護カバー１１-1の横方向の幅Ｌ２よりも僅かに幅広であって、保護カバー１１-1の肉厚が弾性係合片６１よりも小さく、弾性係合片６１と係合爪５９によって保護カバー１１-1の周縁部を挟持・係合可能である場合には、保護カバー１１-1に図１の係合穴３１を設けることなく、保護カバー１１-1の周縁部を弾性係合片６１と係合爪５９とで挟持・係合して、抜止めクリップ５５を保護カバー１１-1に取り付けることが可能で、抜止めクリップ５５によって保護カバー１１-1からのネジ２１の抜け止めが可能となる。
【００４８】
また、図示しないが図８のネジの抜止め構造は、図５のＴＰネジ４９を用いた請求項５及び請求項６の実施形態にも適用可能で、抜止めクリップ５５によって保護カバー１１-1からのＴＰネジ４９の抜け止めが可能となる。
【００４９】
而も、これらの実施形態によれば、保護カバー１１-1に係合穴３１を設ける必要がないため、既存の保護カバーをそのまま使用できる利点を有する。
【００５０】
尚、既述した各実施形態は、電源端子盤などの固定台（被取付部材）１３に保護カバー１１（取付部材）をねじ止めする構造に適用したものであるが、本発明は、例えば通信機器の機器本体（被取付部材）に、冷却用のファンユニットなどの各種ユニット（取付部材）をねじ止めする構造にも適用できることは勿論である。
【符号の説明】
【００５１】
１１、１１-1  保護カバー（取付部材）
１３  固定台（被取付部材）
１７  ネジ取付穴
１９、３５  ネジ挿入穴
２１  ネジ
２３  軸部
２５  スプリングワッシャー
２７  平ワッシャー
２９、５１  頭部
３１、６３、７５  係合穴（係合部）
３３、５５、６７  抜止めクリップ
３９、５７  係合手段
４１、５９、７１  係合爪
４３、４５、６１、６９  弾性係合片
４７  テーパ面
４９  ＴＰネジ
５３  縁
７３、７７  傾斜面
【図１】
2013104501.tif 000003
【図２】
2013104501.tif 000004
【図３】
2013104501.tif 000005
【図４】
2013104501.tif 000006
【図５】
2013104501.tif 000007
【図６】
2013104501.tif 000008
【図７】
2013104501.tif 000009
【図８】
2013104501.tif 000010
【図９】
2013104501.tif 000011
【図１０】
2013104501.tif 000012